(57)【要約】【課題】像信号の受信側機器に対して階調変換処理を行ったか否かを報知することが可能な画像処理装置、画像処理方法、および通信システムを提供する。【解決手段】元画像に対して処理を施す処理系２１２，２１５等と、処理系による画像データ受けて、ビット数を変換する階調変換機能であって、階調変換後の画像において階調変換前の階調を擬似的に表現する階調変換機能を有し、当該階調変換機能を変更可能で、上記混合画像に対する変換処理を行う階調変換部２１６と、を有し、階調変換部２１６は、画像データを出力する際に、階調変換処理を施したか否かを示す判別フラグを付加して出力する。【選択図】図３
2010114557.tif 000002
【特許請求の範囲】
【請求項１】
元画像に対して処理を施す処理系と、
上記処理系による画像データ受けて、ビット数を変換する階調変換機能であって、階調変換後の画像において階調変換前の階調を擬似的に表現する階調変換機能を有し、当該階調変換機能を変更可能で、上記混合画像に対する変換処理を行う階調変換部と、を有し、
上記階調変換部は、
画像データを出力する際に、上記階調変換処理を施したか否かを示す判別フラグを付加して出力する
画像処理装置。
【請求項２】
ＨＤＭＩ規格に対応したＨＤＭＩ転送部を有し、
上記階調変換部は、
ＨＤＭＩ規格で定義されている所定のコードを上記判別フラグとして適用する
請求項１記載の画像処理装置。
【請求項３】
ＨＤＭＩ規格に対応したＨＤＭＩ転送部を有し、
上記階調変換部は、
ＨＤＭＩ規格で定義にされている仕様に従って所定のコマンドを追加して上記判別フラグとして適用する
請求項１記載の画像処理装置。
【請求項４】
処理系により元画像に対して処理を施すステップと、
上記階調変換部によって画像データに対して、ビット数を変換する階調変換機能であって、階調変換後の画像において階調変換前の階調を擬似的に表現する階調変換を変更制御に応じて行うステップと、
画像データを出力する際に、上記階調変換処理を施したか否かを示す判別フラグを付加して出力するステップと
を有する画像処理方法。
【請求項５】
ソース機器と、
シンク機器と、
上記ソース機器と上記シンク機器とを接続するケーブルと、を有し、
上記ソース機器は、
元画像に対して処理を施す処理系と、
上記処理系による画像データ受けて、ビット数を変換する階調変換機能であって、階調変換後の画像において階調変換前の階調を擬似的に表現する階調変換機能を有し、当該階調変換機能を変更可能で、上記混合画像に対する変換処理を行う階調変換部と、を有し、
上記階調変換部は、
画像データを出力する際に、上記階調変換処理を施したか否かを示す判別フラグを付加して出力し、
上記シンク機器は、
上記判別フラグが階調変換処理を施したこと示す場合には、当該階調変換処理の効果を保持可能な信号処理を行う
通信システム。
【請求項６】
ＨＤＭＩ規格に対応したＨＤＭＩ転送部を有し、
上記階調変換部は、
ＨＤＭＩ規格で定義されている所定のコードを上記判別フラグとして適用する
請求項５記載の通信システム。
【請求項７】
ＨＤＭＩ規格に対応したＨＤＭＩ転送部を有し、
上記階調変換部は、
ＨＤＭＩ規格で定義にされている仕様に従って所定のコマンドを追加して上記判別フラグとして適用する
請求項５記載の通信システム。
【発明の詳細な説明】
【技術分野】
【０００１】
本発明は、ビット数を変換する階調変換処理機能を有する画像処理装置、画像処理方法、および通信システムに関するものである。
【背景技術】
【０００２】
たとえば、Ｎビットの画素値の画像を、Ｎビットよりも小さいＭビットの画素値の画像を表示する表示装置で表示するには、Ｎビットの画像をＭビットの画像に変換すること、つまり画像階調を変換する階調変換を行う必要がある。
【０００３】
Ｎビットの画像をＭビットの画像に階調変換する方法としては、たとえばＮビットの画素値の下位Ｎ−Ｍビットを単に切り捨ててＭビット画素値に量子化する方法が知られている。
【０００４】
この量子化する階調変換において、たとえば８ビットでは２５６（＝２８）階調を表現することができるが、４ビットでは１６（＝２４）階調しか表現することができない。
このため、８ビットのグレースケール画像の下位ビットを切り捨てて上位４ビットに量子化する階調変換では、階調の変化が帯のように見えるバンディング（ｂａｎｄｉｎｇ）が生じる。
【０００５】
このようなバンディングが生じることを防止し、階調変換後の画像において階調変換前の階調を擬似的に表現する階調変換方法として、たとえば誤差拡散法が知られている。
この誤差拡散法によれば、たとえば２５６階調の画像を階調変換して得られる１６階調の画像において、人が見たときに、視覚的に１６階調で、２５６階調を表現する。
【０００６】
すなわち、下位ビットを単純に切り捨てただけでは、表示された画像において量子化誤差が目立ってしまい、画像品質を保つことが困難である。
そこで、このような量子化誤差を、人間の視覚特性を考慮して高域に変調する画像のΔΣ変調を行う方法が誤差拡散法として知られている。
一般的には、誤差拡散では、量子化誤差をフィルタリングする２次元フィルタが用いられる。
この２次元フィルタとしては、Ｊａｒｖｉｓ，Ｊｕｄｉｃｅ＆Ｎｉｎｋｅのフィルタや
Ｆｌｏｙｄ＆Ｓｔｅｉｎｂｅｒｇのフィルタが知られている（たとえば非特許文献１参照）。
【非特許文献１】貴家仁志著，「よくわかるディジタル画像処理」，第６版，ＣＱ出版株式会社，２０００年１月，ｐ．１９６−２１３
【発明の開示】
【発明が解決しようとする課題】
【０００７】
ところで、２次元ではなく、１次元ΔΣ変調を行うことも考えられる。
そして、画像処理を行う映像信号記録再生装置等においては、１次元のスーパーマッピング（ＳＢＭ：Super Bit Mapping）処理機能を採用可能である。
なお、ＳＢＭ処理とは、多ビット信号処理結果をあるビットに丸め込む際に、人間の視覚特性に合わせて高域にノイズを加えることにより、多ビット成分を落とすことなく伝送可能とする技術である。
【０００８】
ところが、ソース機器としての映像信号記録再生装置等でＳＢＭ処理を施して出力する際、接続されているテレビジョン受像機等のシンク機器の映像信号処理により、ＳＢＭの効果が減衰されてしまう場合がある。
【０００９】
たとえば、４:２:２の帯域の映像信号に、ＳＢＭ処理を施し、４:４:４で出力した場合、シンク機器の信号処理の都合で、再度４:２:２に再変換される場合が存在する。
この場合、シンク機器の映像信号処理の方法によっても症状は様々であるが、場合によっては、ＳＢＭの効果が全て失われてしまう可能性もある。
【００１０】
また、既存技術としてあるゲームモードは、その効果としては、テレビジョン受像機側での遅延を最小限にすることが目的で、テレビジョン受像機側の信号処理も異なる。
また、ゲームモードの選択はマニュアルになっており、自動切換えには対応していない。
【００１１】
本発明は、映像信号の受信側機器に対して階調変換処理を行ったか否かを報知することが可能な画像処理装置、画像処理方法、および通信システムを提供することにある。
【課題を解決するための手段】
【００１２】
本発明の第１の観点の画像処理装置は、元画像に対して処理を施す処理系と、上記処理系による画像データ受けて、ビット数を変換する階調変換機能であって、階調変換後の画像において階調変換前の階調を擬似的に表現する階調変換機能を有し、当該階調変換機能を変更可能で、上記混合画像に対する変換処理を行う階調変換部と、を有し、上記階調変換部は、画像データを出力する際に、上記階調変換処理を施したか否かを示す判別フラグを付加して出力する。
【００１３】
本発明の第２の観点の画像処理方法は、処理系により元画像に対して処理を施すステップと、上記階調変換部によって画像データに対して、ビット数を変換する階調変換機能であって、階調変換後の画像において階調変換前の階調を擬似的に表現する階調変換を変更制御に応じて行うステップと、画像データを出力する際に、上記階調変換処理を施したか否かを示す判別フラグを付加して出力するステップとを有する。
【００１４】
本発明の第３の観点の通信システムは、ソース機器と、シンク機器と、上記ソース機器と上記シンク機器とを接続するケーブルと、を有し、上記ソース機器は、元画像に対して処理を施す処理系と、上記処理系による画像データ受けて、ビット数を変換する階調変換機能であって、階調変換後の画像において階調変換前の階調を擬似的に表現する階調変換機能を有し、当該階調変換機能を変更可能で、上記混合画像に対する変換処理を行う階調変換部と、を有し、上記階調変換部は、画像データを出力する際に、上記階調変換処理を施したか否かを示す判別フラグを付加して出力し、上記シンク機器は、上記判別フラグが階調変換処理を施したこと示す場合には、当該階調変換処理の効果を保持可能な信号処理を行う。
【発明の効果】
【００１５】
本発明によれば、像信号の受信側機器に対して階調変換処理を行ったか否かを報知することができる。
その結果、受信側機器では、階調変換処理が施されているか否かに応じた信号処理を行うことが可能となる。
【発明を実施するための最良の形態】
【００１６】
以下、本発明の実施形態を図面に関連付けて説明する。
なお、説明は以下の順番で行う。
１．第１の実施形態（通信システムの基本的な構成例）
２．第２の実施形態（画像処理装置が適用される記録再生装置の構成例）
３．第３の実施形態（シンク機器としてのテレビジョン受像機の構成例）
【００１７】
＜１.第１の実施形態＞
図１は、本発明の第１の実施形態に係る通信システムの構成例を示す図である。
【００１８】
本通信システム１０は、一例として、非圧縮の画像の画素データを一方向に高速伝送することができる、たとえば、ＨＤＭＩ（High Definition Multimedia Interface）を通信インタフェースとして採用した構成例を示している。
【００１９】
通信システム１０は、ＤＶＤ(Digital Versatile Disc）レコーダ、セットトップボックス、その他のＡＶ（Audio Visual）ソースから、テレビジョン受像機、プロジェクタ、その他のディスプレイに対しての通信インタフェースとしてＨＤＭＩを採用している。
【００２０】
本通信システム１０は、ＨＤＭＩソース２０、ＨＤＭＩシンク３０、およびＨＤＭＩケーブル４０を有する。
通信システム１０は、ＨＤＭＩソース２０とＨＤＭＩシンク３０とは、１本のＨＤＭＩケーブル４０で接続されている。
ＨＤＭＩソース２０およびＨＤＭＩシンク３０は、ＨＤＭＩケーブル４０を利用して、高速で双方向のＩＰ通信を行うことができる。
【００２１】
ＨＤＭＩソース２０として映像信号記録再生装置、ＨＤＭＩシンク３０としてテレビジョン受像機を採用した具体的例については後で詳述する。
後で詳細に説明するように、ＨＤＭＩソース２０として映像信号記録再生装置はＳＢＭ処理機能を有する。
そして、映像信号記録再生装置は、ＳＢＭ処理を施した映像信号を出力する際に、映像信号に加えてＳＢＭ処理を施していることをＨＤＭＩシンク３０側に伝えるための判別信号（フラグ）を送る。
ＨＤＭＩシンク３０としてのテレビジョン受像機は、判別信号に従い信号処理を切り替えることにより、ＳＢＭの効果を落とすことなく表示デバイス等に伝えることが可能となるように構成される。
【００２２】
ＨＤＭＩケーブル４０は、ＴＭＤＳ(Transition Minimized Differential Signaling)チャンネル４１、ＤＤＣ（Display Data Channel）４２、ＣＥＣ（Consumer Electronics Control）ライン４３と呼ばれる伝送チャンネルを含む。
また、ＨＤＭＩケーブル４０は、Hot Plug Detectと呼ばれるピンに接続される信号線４４を含む。
ＴＭＤＳチャンネル４１は、ＨＤＭＩソース２０からＨＤＭＩシンク３０に一方向通信を行うためのチャンネルである。
ＣＥＣライン４３は、ＨＤＭＩソース２０とＨＤＭＩシンク３０との間で双方向の通信を行うためのチャンネルとして機能する。
【００２３】
ＣＥＣライン４３は、ＨＤＭＩケーブル４０に含まれる図示しない１本の信号線によいＲにより形成され、ＨＤＭＩソース２０１とＨＤＭＩシンク３０との間で、制御用のデータの双方向通信を行うのに用いられる。
【００２４】
また、ＨＤＭＩソース２０およびＨＤＭＩシンク３０は、ＤＤＣ４２またはＣＥＣライン４３を介してたとえばＩＥＥＥ(Institute of Electrical and Electronics Engineers）802.3に準拠したフレームをＨＤＭＩシンク３０およびＨＤＭＩソース２０に送信する。このことにより、双方向のＩＰ通信を行うことができる。
【００２５】
さらに、ＨＤＭＩソース２０およびＨＤＭＩシンク３０は、信号線４４を利用して、新たな電子機器、つまりＨＤＭＩシンク３０またはＨＤＭＩソース２０の接続を検出することができる。
【００２６】
ＨＤＭＩソース２０は、デジタルテレビジョン信号、すなわち、非圧縮（ベースバンド）の画像の画素データと、その画像に付随する音声データとを、ＨＤＭＩケーブル４０を介してＨＤＭＩシンク３０に高速に伝送する。
【００２７】
ＨＤＭＩソース２０は、１の垂直同期信号から次の垂直同期信号までの区間から水平帰線区間および垂直帰線区間を除いた有効画像区間において、非圧縮の１画面分の画像データに対応する差動信号を、複数のチャンネルでＨＤＭＩシンク３０に一方向に送信する。
ＨＤＭＩソース２０は、水平帰線区間または垂直帰線区間において、少なくとも画像に付随する音声データや制御データ、その他の補助データ等に対応する差動信号を、複数のチャンネルで、ＨＤＭＩシンク３０に一方向に送信する。
【００２８】
すなわち、ＨＤＭＩソース２０は、トランスミッタ２１を有する。
トランスミッタ２１は、たとえば非圧縮の画像の画素データを対応する差動信号に変換し、複数のチャンネルである３つのＴＭＤＳチャンネル＃０，＃１，＃２で、ＨＤＭＩケーブル４０を介して接続されているＨＤＭＩシンク３０に、一方向にシリアル伝送する。
【００２９】
トランスミッタ２１は、非圧縮の画像に付随する音声データや必要な制御データその他の補助データ等を対応する差動信号に変換し、３つのＴＭＤＳチャンネル＃０，＃１，＃２でＨＤＭＩケーブル４０を介してＨＤＭＩシンク３０に、一方向にシリアル伝送する。
【００３０】
さらに、トランスミッタ２１は、３つのＴＭＤＳチャンネル＃０，＃１，＃２で送信する画素データに同期したピクセルクロックを、ＴＭＤＳクロックチャンネルで、ＨＤＭＩケーブル４０を介して接続されているＨＤＭＩシンク３０に送信する。
ここで、１つのＴＭＤＳチャンネル＃ｉ（ｉ=０，１，２）では、ピクセルクロックの１クロックの間に、１０ビットの画素データが送信される。
【００３１】
ＨＤＭＩシンク３０は、有効画像区間において、複数のチャンネルで、ＨＤＭＩソース２０から一方向に送信されてくる、画素データに対応する差動信号を受信する。
ＨＤＭＩシンク３０は、水平帰線区間または垂直帰線区間において、複数のチャンネルで、ＨＤＭＩソース２０から一方向に送信されてくる、音声データや制御データに対応する差動信号を受信する。
【００３２】
すなわち、ＨＤＭＩシンク３０は、レシーバ３１を有する。
レシーバ３１は、ＴＭＤＳチャンネル＃０〜＃２でＨＤＭＩケーブル４０を介してＨＤＭＩソース２０から送信される画素データに対応する差動信号と、音声データや制御データに対応する差動信号を、ＴＭＤＳクロックチャンネルのピクセルクロックに同期して受信する。
【００３３】
ＤＤＣ４２は、ＨＤＭＩケーブル４０に含まれる図示しない２本の信号線により形成される。
ＤＤＣ４２は、ＨＤＭＩソース２０が、ＨＤＭＩケーブル４０を介して接続されたＨＤＭＩシンク３０から、Ｅ−ＥＤＩＤ(Enhanced Extended Display Identification Data）を読み出すのに使用される。
【００３４】
ＨＤＭＩシンク３０は、レシーバ３１の他に自身の設定や性能に関する情報であるＥ−ＥＤＩＤを記憶しているＥＤＩＤ ＲＯＭ(Read Only Memory）３２を有している。
ＨＤＭＩソース２０は、ＨＤＭＩケーブル４０を介して接続されているＨＤＭＩシンク３０から、そのＨＤＭＩシンク３０のＥＤＩＤＲＯＭ３２が記憶しているＥ−ＥＤＩＤを、ＤＤＣ４２を介して読み出す。
ＨＤＭＩソース２０は、そのＥ−ＥＤＩＤに基づき、ＨＤＭＩシンク３０の設定や性能を認識する。
なわち、ＨＤＭＩソース２０は、たとえばＨＤＭＩシンク３０（を有する電子機器）が対応している画像のフォーマット（プロファイル）、たとえばＲＧＢ(Red, Green, Blue）や、ＹＣｂＣｒ４：４：４，ＹＣｂＣｒ４：２：２などを認識する。
【００３５】
なお、図示していないが、ＨＤＭＩソース２０もＨＤＭＩシンク３０と同様に、Ｅ−ＥＤＩＤを記憶し、必要に応じてそのＥ−ＥＤＩＤをＨＤＭＩシンク３０に送信することができる。
【００３６】
以上、ＨＤＭＩ仕様の本通信システム１０の基本構成について説明した。
【００３７】
図２は、本発明の実施形態に係る通信システムの具体的な接続例を示す図である。
【００３８】
以下、図２に示しように、ＨＤＭＩソース２０としてＤＶＤ等の光ディスク記録再生装置(画像処理装置)２００、ＨＤＭＩシンク３０としてテレビジョン受像機３００を採用した具体的例について説明する。
ここでは、ＨＤＭＩソース２０としての光ディスク記録再生装置２００はＳＢＭ処理機能を有する。
そして、光ディスク記録再生装置２００は、ＳＢＭ処理を施した映像信号を出力する際に、映像信号に加えてＳＢＭ処理を施していることをＨＤＭＩシンク３０側に伝えるための判別信号（判別フラグ）を送る。
ＨＤＭＩシンク３０としてのテレビジョン受像機３００は、判別信号に従い信号処理を切り替えることにより、ＳＢＭの効果を落とすことなく表示デバイス等に伝えることが可能となるように構成される。
【００３９】
＜２．第２の実施形態＞
図３は、本発明の第２の実施形態に係る１次元ＳＢＭ処理機能を有するソース機器としての光ディスク記録再生装置の構成例を示すブロック図である。
【００４０】
本実施形態に係る光ディスク記録再生装置（以下、記録再生装置という）２００は、１次元のスーパーマッピング（ＳＢＭ：Super Bit Mapping）処理機能を採用している。
ここで、ＳＢＭ処理とは、多ビット信号処理結果をあるビットに丸め込む際に、人間の視覚特性に合わせて高域にノイズを加えることにより、多ビット成分を落とすことなく伝送可能とする技術である。
【００４１】
本実施形態に係る記録再生装置２００は、外部から提供された映像コンテンツを、ハードディスクドライブ（ＨＤＤ）、光ディスク等の記録媒体に記録し、かつ、当該記録媒体に記録された映像コンテンツを再生可能な装置として構成されている。
この記録再生装置２００は、たとえば、光ディスクを記録媒体とする光ディスクレコーダと、ハードディスクを記録媒体とするＨＤＤレコーダとの複合機として構成される。
【００４２】
映像コンテンツは、たとえば放送局から受信したテレビジョン放送の番組コンテンツや、外部入力されたビデオプログラム、セルＤＶＤ、ＢＤ（Ｂｌｕ−ｒａｙ  Ｄｉｓｃ（登録商標））等から読み出したビデオプログラムなどを含む。
【００４３】
なお、テレビジョン放送は、たとえば、地上波デジタル／アナログ放送、ＢＳ（Ｂｒｏａｄｃａｓｔｉｎｇ  Ｓａｔｅｌｌｉｔｅ）放送、ＣＳ（Ｃｏｍｍｕｎｉｃａｔｉｏｎ  Ｓａｔｅｌｌｉｔｅ）放送など、放送電波を介して番組コンテンツを放送するものを含む。
さらに、テレビジョン放送は、ケーブルテレビ放送、ＩＰＴＶ（Ｉｎｔｅｒｎｅｔ  Ｐｒｏｔｏｃｏｌ  ＴＶ）又はＶＯＤ（Ｖｉｄｅｏ  Ｏｎ  Ｄｅｍａｎｄ）など、ネットワークを介して番組コンテンツを配信するものも含む。
【００４４】
記録再生装置２００は、ライン入力端子２０１、アナログチューナ２０２、ディスクドライブ装置２０３、ハードディスクドライブ装置２０４、ｉ．ＬＩＮＫ入力端子２０５、デジタルチューナ２０６、セレクタ２０７、およびビデオデコーダ２０８を有する。
記録再生装置２００は、セレクタ２０９、ＭＰＥＧエンコーダ２１０、ＨＤＶプロセッサ２１１、ストリームプロセッサ２１２、ＭＰＥＧデコーダ２１３，２１４、ビデオ・グラフィック・プロセッサ２１５、およびＳＢＭ処理部２１６を有する。
記録再生装置２００は、ＨＤＭＩ転送部（Ｔｘ）２１７、デジタルアナログコンバータ（ＤＡＣ）２１８、ホストＣＰＵ２１９、ＨＤＭＩコネクタ２２０、コンポーネント端子２２１、およびコンポジット端子(Ｓ端子)２２２を有する。
【００４５】
ライン入力端子２０１は、外部機器からのアナログ映像信号が入力され、この入力されたアナログ映像信号はセレクタ２０７に供給される。
【００４６】
アナログチューナ２０２は、図示しないアナログ放送用のアンテナで受信した放送電波から、目的のチャンネルを選局し、そのチャンネルの電波の復調処理を行って、番組コンテンツの受信信号（映像および音声アナログ信号）を生成する。
さらに、アナログチューナ２０２は、この受信信号に対して、たとえば中間周波の増幅処理、色信号の分離、色差信号の生成、同期信号の抽出などといった所定の映像信号処理を行って、映像信号をセレクタ２０７に出力する。
【００４７】
ディスクドライブ装置２０３は、記録媒体である光ディスクに対して各種情報の書き込みおよび読み出しを行う。
ディスクドライブ装置２０３は、たとえば、映像コンテンツが記録された市販のリムーバブル記録媒体（セルＤＶＤ、ＢＤ等）をロードすることで、このリムーバブル記録媒体から映像コンテンツを読み出して再生できる。
ディスクドライブ装置２０３は、ストリームプロセッサ２１２との間でデータの授受を行う。
【００４８】
ハードディスクドライブ装置２０４は、記録媒体であるハードディスクに対して、各種の情報を書き込みおよび読み出しを行う。
たとえば、ハードディスクドライブ装置２０４は、ストリームプロセッサ２１２から入力された映像／音声信号のストリームを、ハードディスクに記録する。
また、ハードディスクドライブ装置２０４は、ハードディスクに記録されているデータを読み出して、ストリームプロセッサ２１２に出力する。
【００４９】
このように、本実施形態にかかる記録再生装置２００は、２つの記録装置、すなわち、ディスクドライブ装置２０３およびハードディスクドライブ装置２０４を有している。
これにより、ハードディスクドライブ装置２０４に記録されたコンテンツを、ディスクドライブ装置２０３に記録したり、その逆を行ったりできる。
なお、記録媒体としては、たとえば、ハードディスク等の磁気ディスク、または、次世代ＤＶＤ（Ｂｌｕ−Ｒａｙディスク等）、ＤＶＤ−Ｒ、ＤＶＤ−ＲＷ、ＤＶＤ−ＲＡＭ等の任意の記録媒体を使用可能である。
若しくは、記録媒体として、光磁気ディスク等の光ディスク、または、フラッシュメモリ等の各種の半導体メモリなど、任意の記録媒体を使用できる。
また、記録媒体は、記録再生装置２００内に固定される記録媒体であってもよいし、記録再生装置２００に着脱可能なリムーバブル記録媒体であってもよい。
【００５０】
ｉ．ＬＩＮＫ入力端子２０５等の外部入力端子には、ＨＤＶ（Ｈｉｇｈ  Ｄｅｆｉｎｉｔｉｏｎ  Ｖｉｄｅｏ）方式のデジタルビデオカメラ等の外部機器が接続される。
この外部機器からＩＥＥＥ１３９４方式で転送された映像および音声のＨＤＶ信号（ストリーム）がｉ．ＬＩＮＫ端子２０５に供給され、ＨＤＶプロセッサ２１１を介してストリームプロセッサ２１２に入力される。
【００５１】
デジタルチューナ２０６は、衛星放送または地上波デジタル放送用アンテナで受信した放送電波から目的のチャンネルを選局し、そのチャンネルの番組コンテンツの映像および音声デジタルデータ（ビットストリーム）をストリームプロセッサ２１２に出力する。
【００５２】
セレクタ２０７は、ライン入力端子２０１から入力された外部機器からのアナログ映像信号、または、アナログチューナ２０２によるアナログ映像信号のいずれかを選択してビデオデコーダ２０８に出力する。
【００５３】
ビデオデコーダ２０８は、たとえば入力されたＮＴＳＣ方式のアナログ映像信号をアナログ信号からデジタル信号に変換（Ａ／Ｄ変換）した後、輝度信号とクロマ信号とに分離し、デコード処理を施す。
ビデオデコーダ２０８は、デコードされたベースバンドビデオ信号を、セレクタ２０９、および、ビデオ・グラフィック・プロセッサ２１５に出力する。
【００５４】
セレクタ２０９で、ビデオデコーダ２０８からの出力と、ビデオ・グラフィック・プロセッサ２１５の出力のいずれかを選択し、選択した出力信号をＭＰＥＧエンコーダ２１０に出力する。
【００５５】
ＭＰＥＧエンコーダ２１０では、ＭＰＥＧ１、ＭＰＥＧ２、ＭＰＥＧ４、ＭＰＥＧ４−ＡＶＣ／Ｈ．２６４など所望のエンコードを行い、エンコードされたストリームは、ストリームプロセッサ２１２に入力される。
ＭＰＥＧエンコーダ２１０は、ビデオデコーダ２０８、ビデオグラフィックスプロセッサ２１５による映像および音声デジタル信号を、所定の圧縮符号化形式で圧縮符号化する。
ＭＰＥＧエンコーダ２１０は、たとえばＨＤ（Ｈｉｇｈ  Ｄｅｆｉｎｉｔｉｏｎ）映像およびＳＤ（Ｓｔａｎｄａｒｄ  Ｄｅｆｉｎｉｔｉｏｎ）映像に対応可能な高性能のエンコーダとして構成される。すなわち、ＭＰＥＧエンコーダ２１０は、ＳＤ解像度の映像信号のみならず、ＨＤ解像度の映像信号もエンコード可能である。
また、ＭＰＥＧエンコーダ２１０は、ステレオ音声およびマルチチャンネル音声に対応可能なエンコーダであり、２チャンネルの音声信号のみならず、マルチチャンネルの音声信号もエンコード可能である。
ＭＰＥＧエンコーダ２１０は、記録対象のコンテンツの映像信号または音声信号を、ホストＣＰＵ２１９により決定された記録モードに対応するビットレートでエンコードする。
ＭＰＥＧエンコーダ２１０は、このようにエンコードした映像／音声信号の圧縮データ（ビットストリーム）を、ストリームプロセッサ２１２に出力する。
【００５６】
ストリームプロセッサ２１２は、記録時に、ＢＤ、ＤＶＤなどのディスクドライブ装置２０３やハードディスクドライブ装置２０４などのディスクドライブ装置にストリームを送り、所望のメディアに記録する。
ストリームプロセッサ２１２は、表示あるいは再生時に、所望のビデオストリームの抜き出しやパーズを行った後、ＭＰＥＧデコーダ２１３、２１４に送る。
【００５７】
ストリームプロセッサ２１２は、記録媒体に対するデータの記録時または再生時に、記録対象または再生対象のデータ（ストリーム）に対して所定のデータ処理を行う。
たとえば、データ記録時には、ストリームプロセッサ２１２は、ＭＰＥＧエンコーダ２１０でエンコードされた圧縮データを多重化（Ｍｕｌｔｉｐｌｅｘ）および暗号化して、バッファ制御しつつ、記録媒体に記録する。
また、データ再生時には、ストリームプロセッサ２１２は、記録媒体から読み出された圧縮データを、暗号解読および分離化（ＤｅＭｕｌｔｉｐｌｅｘ）してＭＰＥＧデコーダ２１３、２１４に出力する。
【００５８】
ＭＰＥＧデコーダ２１３、２１４は、圧縮された映像および音声信号をデコード（復号）するデコード部の一例として構成されたハードウェアである。
このＭＰＥＧデコーダ２１３、２１４は、ストリームプロセッサ２１２から入力された映像および音声の圧縮データを所定の圧縮符号化方式で復号（圧縮データの伸張）する。
【００５９】
ＭＰＥＧエンコーダ２１０およびＭＰＥＧデコーダ２１３、２１４で用いる圧縮符号化方式（コーデックタイプ）としては、映像については、たとえば、ＭＰＥＧ２、Ｈ．２６４  ＡＶＣ（Ａｄｖａｎｃｅｄ  Ｖｉｄｅｏ  Ｃｏｄｉｎｇ）、ＶＣ１等を使用できる。
また、音声については、たとえば、Ｄｏｌｂｙ  ＡＣ３、ＭＰＥＧ２  ＡＡＣ（Ａｄｖａｎｃｅｄ  Ａｕｄｉｏ  Ｃｏｄｉｎｇ）、ＬＰＣＭ（Ｌｉｎｅａｒ  Ｐｕｌｓｅ  Ｃｏｄｅ  Ｍｏｄｕｌａｔｉｏｎ）等を使用できる。
【００６０】
また、上記のように、記録再生装置２００には、外部から多様な形式の映像／音声信号が入力される。この映像信号の形式（画サイズ）としては、映像の品質に応じて、たとえば、「４８０ｉ」、「４８０ｐ」、「７２０ｐ」、「１０８０ｉ」、「１０８０ｐ」等がある。
たとえば、「１０８０ｉ」は、垂直方向の有効走査線が１０８０本（総走査線が１１２５本）であり、飛び越し走査(インターレーススキャン)方式で、フレームレートが「３０フレーム／秒」で送信される映像信号を表す。
「１０８０ｉ」における解像度は「１９２０×１０８０」若しくは「１４４０×１０８０」ピクセルである。
また、「７２０ｐ」は、垂直方向の有効走査線が７２０本(総走査線が７５０本)であり、順次走査(プログレッシブスキャン）方式で、フレームレートが「６０フレーム／秒」で送信される映像信号を表す。
「７２０ｐ」における解像度は「１２８０×７２０」若しくは「９６０×１０８０」ピクセルである。
これらの映像信号の形式のうち、「４８０ｉ」および「４８０ｐ」等の映像信号は、走査線本数が少なく低解像度のＳＤ映像のカテゴリ（以下「ＳＤカテゴリ」という。）に分類される。
一方、「７２０ｐ」、「１０８０ｉ」および「１０８０ｐ」等の映像信号は、走査線本数が多く高解像度のＨＤ映像のカテゴリ（以下「ＨＤカテゴリ」という。）に分類される。
【００６１】
また、音声信号の形式（チャンネル数）としては、たとえば、「１ＣＨ」、「２ＣＨ」、「５．１ＣＨ」、「６．１ＣＨ」、「７．１ＣＨ」、「４ＣＨ」、「５ＣＨ」、「６ＣＨ」等がある。
たとえば、「５．１ＣＨ」は、視聴者の正面、右前方、左前方、右後方、左後方に配されるスピーカと、低音出力用サブウーファースピーカ（ＬＦＥ：Ｌｏｗ  Ｆｒｅｑｕｅｎｃｙ  Ｅｆｆｅｃｔ）との６スピーカから出力されるマルチチャンネルの音声信号を表す。
これらの音声信号形式のうち、「１ＣＨ（モノラル）」および「２ＣＨ（ステレオ）」等の音声信号は、チャンネル数が比較的少ない低音質のステレオ音声のカテゴリ（以下「ステレオカテゴリ」という。）に分類される。
一方、「５．１ＣＨ」、「６．１ＣＨ」、「７．１ＣＨ」、「４ＣＨ」、「５ＣＨ」および「６ＣＨ」等の音声信号は、チャンネル数が比較的多く高音質のマルチチャンネル音声のカテゴリ（以下「マルチチャンネルカテゴリ」という。）に分類される。
【００６２】
ビデオ・グラフィック・プロセッサ２１５は、所望の画枠サイズへの変換処理や、画質調整、ノイズリダクションなどの種々のビデオ信号処理を施し、この映像信号にグラフィックス信号などを合成した後、ＳＢＭ処理部２１６に出力する。
また、ビデオ・グラフィック・プロセッサ２１５の出力は、ＤＡＣ２１８に入力され、Ｄ／Ａ変換したアナログコンポーネント信号がコンポーネント端子２２１に出力される。  また、Ｄ／Ａ変換したアナログコンポジットビデオ信号（あるいは、Ｙ／Ｃセパレートビデオ信号）はコンポジットビデオ端子（あるいは、Ｓ端子）２２２に出力される。
【００６３】
ＳＢＭ処理部２１６は、ＳＢＭ処理を施してベースバンド信号（映像信号）を生成する。
ＳＢＭ処理部２１６は、ＳＢＭ処理を施したベースバンドビデオ信号を出力する際に、ベースバンドビデオ信号と一緒に、ＳＢＭ処理を施していることをＨＤＭＩシンク３０側に伝えるための判別信号（判別フラグ）を付加して、ＨＤＭＩ転送部２１７に出力する。
ＨＤＭＩシンク３０としてのテレビジョン受像機３００は、判別信号に従い信号処理を切り替えることにより、ＳＢＭの効果を落とすことなく表示デバイス等に伝えることが可能となる。
【００６４】
図４は、ＳＢＭ処理部ブロック２１６の構成例を示すブロック図である。
【００６５】
図４のＳＢＭ処理部２１６は、４：２：２，４：４：４変換ブロック２１６１、およびＳＢＭブロック２１６２を有する。
【００６６】
４：２：２，４：４：４変換ブロック２１６１は、ビデオ・グラフィック・プロセッサ２１５にて処理された８ビットのベースバンドビデオ信号を受けて、色信号のアップサンプリング処理が行われる。
４：２：２，４：４：４変換ブロック２１６１は、色信号をアップサンプリンングする過程で各種演算により、元の８ビット信号を１４ビットまで拡張して、ＳＢＭブロック２１６２に出力する。
【００６７】
ＳＢＭブロック２１６２は、入力された１４ビットのベースバンドビデオ信号にＳＢＭ処理を施し、ＳＢＭ処理を施していることをＨＤＭＩシンク３０側に伝えるための判別信号（判別フラグ）を付加して出力をする。
なお、出力の際、ＨＤＭＩのＥＤＩＤから取得した接続機器情報に従い、８/１０/１２ビットの出力を選択する。
【００６８】
次に、ＳＢＭ処理を施したベースバンドビデオ信号と共に判別フラグをテレビジョン受像機に伝送する方法についての例を２つ説明する。
【００６９】
一つ目は、ＨＤＭＩ規格で定義されているＳＰＤＩ(Ｓｏｕｒｃｅ  Ｐｒｏｄｕｃｔ  Ｄｅｓｃｒｉｐｔｉｏｎ  Ｉｎｆｏｆｒａｍｅ)の中のＳＤＩ（Ｓｏｕｒｃｅ  Ｄｅｖｉｃｅ  Ｉｎｆｏｍａｔｉｏｎ）を独自に定義する。
これにより、ＨＤＭＩに伝送されているベースバンドビデオ信号にＳＢＭ処理が施されているか否かを伝送する。
たとえば、ＳＤＩの中には、ベンダーコードやカテゴリーコードを送ることができるが、カテゴリーコードを独自に定義することにより、判別フラグとして使用することが可能である。
【００７０】
二つ目は、ＨＤＭＩで定義されているＣＥＣ（Ｃｏｎｓｕｍｅｒ  Ｅｌｅｃｔｒｏｎｉｃｓ  Ｃｏｎｔｒｏｌ）を利用するケースである。
ＣＥＣには、Ｖｅｎｄｅｒ  Ｓｐｅｃｉｆｉｃ  Ｃｏｍｍａｎｄｓが割り当てられているので、そこに独自のコマンドを追加して、判別フラグを送ることが可能である。
いずれのケースにおいても、ホストＣＰＵ２１９がＳＭＢ処理のＯＮ／ＯＦＦのコントロールを行うので、それに合わせて、ＨＤＭＩに判別フラグを送ることにより実現する。
【００７１】
ここで、ＳＢＭ処理部の要部である階調変換部の構成例について説明する。
【００７２】
図５は、本実施形態に係るＳＢＭ処理部の要部である階調変換部の構成例を示すブロック図である。
【００７３】
階調変換部４００は、たとえばノイズリダクション処理により８ビットの画像が１４ビットの画像に拡張されたビデオ信号を、表示デバイスが処理可能で表示することができるビット数、たとえば８ビット、１０ビット、１２ビットに変換する階調変換機能を有する。
【００７４】
階調変換部４００は、ディザ加算部４１０および１次元ΔΣ変調部４２０を有する。
【００７５】
ディザ加算部４１０は、対象画像を形成する画素値ＩＮ（ｘ，ｙ）にランダムノイズを加算することにより、対象画像にディザを施し、１次元ΔΣ変調部２２０に出力する。
【００７６】
１次元ΔΣ変調部４２０は、ディザ加算部４１０からのディザが施された対象画像に、１次元のΔΣ変調を施し、その結果得られた画素値ＯＵＴ（ｘ，ｙ）により形成される階調変換部４００の画像として出力する。
【００７７】
図６は、図５のディザ加算部４１０の構成例を示す図である。
【００７８】
ディザ加算部４１０は、図６に示すように、演算部４１１、ハイパスフィルタ（ＨＰＦ：Ｈｉｇｈ  Ｐａｓｓ  Ｆｉｌｔｅｒ）４１２、ランダムノイズ出力部４１３、および係数設定部４１４を有する。
【００７９】
演算部４１１は、対象画像の画素値ＩＮ（ｘ，ｙ）が、図７に示すように、ラスタスキャン順に供給される。
また、演算部４１１には、ＨＰＦ４１２の出力が供給される。
演算部４１１は、対象画像の画素値ＩＮ（ｘ，ｙ）に、ＨＰＦ４１２の出力を加算し、その結果得られる加算値を、ディザが施された画素値Ｆ（ｘ，ｙ）として１次元ΔΣ変調部４２０に供給する。
【００８０】
ＨＰＦ４１２は、係数設定部４１４によって設定されるフィルタ係数に基づき、ランダムノイズ出力部４１３が出力するランダムノイズをフィルタリングし、そのフィルタリングの結果得られるランダムノイズの高域成分を演算部４１１に供給する。
【００８１】
ランダムノイズ出力部４１３は、たとえばガウス分布等に従うランダムノイズを発生し、ＨＰＦ４１２に出力する。
【００８２】
係数設定部４１４は、基本的に、人の視覚の空間周波数特性、および表示デバイスの解像度に基づいてフィルタ係数ＨＰＦ−ＣＥ１、ＨＰＦ−ＣＥ２、ＨＰＦ−ＣＥ３を決定し、ＨＰＦ４１２に設定する。
本実施形態において、係数設定部４１４は、ホストＣＰＵ２１９の制御指示に従ってフィルタ係数ＨＰＦ−ＣＥ１、ＨＰＦ−ＣＥ２、ＨＰＦ−ＣＥ３のいずれかを選択する。
【００８３】
以上のように、ディザ加算部４１０では、係数設定部４１４が、ホストＣＰＵ２１９の指示に従ってＨＰＦ４１２のフィルタ係数ＨＰＦ−ＣＥ１、ＨＰＦ−ＣＥ２、ＨＰＦ−ＣＥ３のいずれかを選択する。
そして、ＨＰＦ４１２が、係数設定部４１４によって設定されたフィルタ係数と、ランダムノイズ出力部４１３が出力するランダムノイズとの積和演算等を行うことによって、ランダムノイズ出力部４１３が出力するランダムノイズをフィルタリングする。
これにより、ＨＰＦ４１２は、ランダムノイズの高域成分を演算部４１１に供給する。
演算部４１１は、対象画像の１４ビットの画素値ＩＮ（ｘ，ｙ）と、ＨＰＦ４１２からのランダムノイズの高域成分とを加算する。
演算部４１１は、その結果得られる、たとえば対象画像と同一のビット数である１４ビットの加算値、あるいはそれ以上のビット数の加算値を、ディザが施された画素値Ｆ（ｘ，ｙ）として、１次元ΔΣ変調部４２０に出力する。
【００８４】
ホストＣＰＵ２１９は、演算処理装置および制御装置として機能し、記録再生装置２００内の各装置を制御する。
ホストＣＰＵ２１９は、ＲＯＭに記憶されているプログラム、あるいは、ＲＡＭにロードされたプログラムに従って、ＲＡＭを使用しながら、各種の処理を実行する。
また、ホストＣＰＵ２１９は、属性情報取得部、解析部、制御ルーチン作成部、画質調整制御部などしても機能する。
ホストＣＰＵ２１９は、ＳＭＢ処理のＯＮ／ＯＦＦのコントロールを行うので、それに合わせて、ＨＤＭＩに判別フラグを送る制御を行う。
ホストＣＰＵ２１９は、ディザ加算部４１０のＨＰＦ４１２のフィルタ係数ＨＰＦ−ＣＥ１、ＨＰＦ−ＣＥ２、ＨＰＦ−ＣＥ３の切り替え制御を行う。
ホストＣＰＵ２１９は、図示しないユーザインタフェースに対するユーザ入力を受け付けると、このユーザ入力に基づいて、コンテンツの記録処理や再生処理を制御したり、放送番組の予約録画の設定を行う機能を有する。
【００８５】
以上、ＨＤＭＩソース２０として記録再生装置２００の構成および機能について説明した。
次に、ＨＤＭＩ３０としてテレビジョン受像機３００の構成および機能について説明する。
【００８６】
＜３．第３の実施形態＞
図８は、ＨＤＭＩとしてテレビジョン受像機の構成例を示す図である。
【００８７】
ＨＤＭＩ３０としてテレビジョン受像機３００は、図８に示すように、ＨＤＭＩソース２０として記録再生装置２００とＨＤＭＩケーブル４０により接続される。
【００８８】
図８のテレビジョン受像機３００は、ＨＤＭＩコネクタ３０１、ＨＤＭＩ受信部（Ｒｘ）３０２、ホストＣＰＵ３０３、およびＥＤＩＤ ＲＯＭ３０４を有する。
さらに、テレビジョン受像機３００は、第１のテレビジョン信号処理部３０５、第２のテレビジョン信号処理部３０６、切替部３０７、および表示デバイス３０８を有する。
【００８９】
ＨＤＭＩ受信部３０２は、ＨＤＭＩコネクタ３０１を介して入力されるＴＭＤＳチャンネル４１のＴＭＤ信号を受けて、ベースバンドビデオ信号を第１および第２のテレビジョン信号処理部３０５，３０６に供給する。
ＨＤＭＩ受信部３０２は、受信したベースバンドビデオ信号に付加されている判別信号（判別フラグ）をホストＣＰＵ３０３に供給する。
【００９０】
ホストＣＰＵ３０３は、判別信号（判別フラグ）を受けて、受信したベースバンドビデオ信号がＳＢＭ処理が施されているか否かを判別し、判別結果に応じて第１および第２のテレビジョン信号処理部３０５，３０６の駆動、および切替部３０７に切替制御を行う。
ホストＣＰＵ３０３は、ＳＢＭ処理が施されていないと判別した場合には、受信したベースバンドビデオ信号を第１のテレビジョン信号処理部３０５で通常の処理を行うように制御する。かつ、ホストＣＰＵ３０３は、その処理された信号が表示デバイス３０８に供給されるように切替部３０７を制御する。
ホストＣＰＵ３０３は、ＳＢＭ処理が施されていると判別した場合には、受信したベースバンドビデオ信号を第２のテレビジョン信号処理部３０６でスルーするように制御する。かつ、ホストＣＰＵ３０３は、そのスルーされたＳＢＭ処理を受けている信号が表示デ
バイス３０８に供給されるように切替部３０７を制御する。
【００９１】
また、ホストＣＰＵ３０３は、ＥＤＩＤ ＲＯＭ３０４に書かれているディスプレイ情報を取得し、ＨＤＭＩ受信部３０２、ＨＤＭＩコネクタ３０１、さらに、ＨＤＭＩケーブル４０のＤＤＣライン４２を通して記録再生装置２００に転送する。
ＥＤＩＤ ＲＯＭ３０４には、受像機の対応解像度情報などの他に、対応可能なベースバンドビデオ信号のビット長情報も書かれている。
この情報を取得した記録再生装置２００のホストＣＰＵ２１９は、ＨＤＭＩケーブル４０によって接続された受像機３００がたとえば１２ビット入力に対応している場合は、１２ビットで出力するようにＳＢＭ処理部２１６に指示を与える。
ホストＣＰＵ２１９は、受像機３００が８ビットまでしか対応していない場合には８ビット出力をするように、ＳＢＭ処理部２１６に指示を与えて適切なビットを出力して、ＨＤＭＩコネクタ２２０から出力する。
【００９２】
第１のテレビジョン信号処理部３０５は、ＨＤＭＩ受信部３０２で受信したＢＭ処理が施されていないベースバンドビデオ信号に対して通常の信号処理を施し、切替部３０７に出力する。
第２のテレビジョン信号処理部３０６は、ＨＤＭＩ受信部３０２で受信したＢＭ処理が施されているベースバンドビデオ信号に対してスルー処理等を施し、切替部３０７に出力する。
たとえば、第２のテレビジョン映像信号処理部３０６では、入力された４：４：４信号を、４：２：２変換することなく、そのままスルーすることにより、ＳＢＭの効果を保持することが可能である。
【００９３】
切替部３０７は、端子ａが第１のテレビジョン信号処理部３０５の出力に接続され、端子ｂが第２のテレビジョン信号処理部３０６に出力に接続され、固定端子（出力端子）ｃが表示デバイス３０８に接続されている。
切替部３０７は、ホストＣＰＵ３０３により切替制御が行われる。
切替部３０７は、ホストＣＰＵ３０３でＳＢＭ処理が施されていないと判別した場合、端子ａと端子ｃが接続されるように切り替えられる。
切替部３０７は、ホストＣＰＵ３０３でＳＢＭ処理が施されていると判別した場合、端子ｂと端子ｃが接続されるように切り替えられる。
【００９４】
次に、図３に示す記録再生装置２００および図８のテレビジョン受像機３００の動作を記録系、表示系、読み出し系に分けて説明する。
【００９５】
［記録系の動作］
ライン入力端子２０１から入力されるビデオ信号（映像信号）と、アナログチューナ２０２から出力されるビデオ信号は、セレクタ２０７で所望の入力が選択された後、ビデオデコーダ２０８に入力される。
ビデオデコーダ２０８は、入力されたＮＴＳＣ方式のアナログビデオ信号をＡ／Ｄ変換した後、輝度信号とクロマ信号とに分離する。そして、ビデオデコーダ２０８は、その信号に対してデコード処理を施し、デコードされたベースバンドビデオ信号は、セレクタ２０９、および、ビデオ・グラフィック・プロセッサ２１５に入力される。
セレクタ２０９で、ビデオデコーダ２０８からの出力と、ビデオ・グラフィック・プロセッサ２１５の出力を選択した後、ＭＰＥＧエンコーダ２１０に入力される。
ＭＰＥＧエンコーダ２１０では、ＭＰＥＧ１、ＭＰＥＧ２、ＭＰＥＧ４、ＭＰＥＧ４−ＡＶＣ／Ｈ．２６４など所望のエンコードを行い、エンコードされたストリームは、ストリームプロセッサ２１２に入力される。
ストリームプロセッサ２１２から、ＢＤ、ＤＶＤなどのディスクドライブ装置２０３やハードディスクドライブ装置２０４などのディスクドライブにストリームが送られ、所望のメディアに記録される。
【００９６】
また、ｉ．ＬＩＮＫ入力端子２０５から入力されたストリームはＨＤＶプロセッサ２１１を経てストリームプロセッサ２１２に入力される。
また、デジタルチューナ２０６からのストリームもストリームプロセッサ２１２に入力され、ＢＤ、ＤＶＤなどのディスクドライブ装置２０３やハードディスクドライブ装置２０４などのディスクドライブより、所望のメディアに記録することができる。
【００９７】
また、ストリームプロセッサ２１２に入力されたストリームは、ストリームプロセッサ２１２で所望のビデオストリームの抜き出しやパーズなどの処理を施し、ＭＰＥＧデコーダ２１３、２１４でデコードされる。デコーダされた信号は、ビデオ・グラフィック・プロセッサ２１５、セレクタ２０９を経由してＭＰＥＧエンコーダ２１０に入力される。
ＭＰＥＧエンコーダ２１０では、ＭＰＥＧ１、ＭＰＥＧ２、ＭＰＥＧ４、ＭＰＥＧ４−ＡＶＣ／Ｈ．２６４など所望のエンコードを行い、エンコードされたストリームは、ストリームプロセッサ２１２に入力される。
ストリームプロセッサ２１２から、ＢＤ、ＤＶＤなどのディスクドライブ装置２０３やハードディスクドライブ装置２０４などのディスクドライブにストリームが送られ、所望のメディアに記録される。
【００９８】
［表示系の動作］
ライン入力端子２０１から入力されるビデオ信号と、アナログチューナ２０２から出力されるビデオ信号は、セレクタ２０７で所望の入力が選択された後、ビデオデコーダ２０８に入力される。
ビデオデコーダ２０８は、入力されたＮＴＳＣ方式のアナログ映像信号をＡ／Ｄ変換した後、輝度信号とクロマ信号とに分離する。そして、ビデオデコーダ２０８は、その信号にデコード処理を施し、デコードされたベースバンドビデオ信号は、ビデオ・グラフィック・プロセッサ２１５に入力される。
ビデオ・グラフィック・プロセッサ２１５では、所望の画枠サイズへの変換処理や、画質調整、ノイズリダクションなどの種々のビデオ信号処理を施し、この信号にグラフィックス信号などを合成する。
このビデオ・グラフィック・プロセッサ２１５で処理を受けた信号は、ＳＢＭ処理部２１６に送られる。
【００９９】
ＳＢＭ処理部２１６では、先ずは、４：２：２,４：４：４変換ブロック２１６１に入力され、色信号のアップサンプリング処理が行われる。
色信号をアップサンプリンングされる過程で各種演算により、元の８ビット信号が１４ビットまで拡張され、次のＳＢＭブロック２１６２に入力される。
ＳＢＭブロック２１６２では、入力された１４ビットのベースバンドビデオ信号にＳＢＭ処理を施し、かつＳＢＭ処理を施したか否かを示す判別信号（フラグ）を付加して出力をする。
【０１００】
ＳＢＭ処理を施したベースバンドビデオ信号と同時に判別フラグを受像機３００に伝送する際に、たとえば次の処理が行われる。
すなわち、ＨＤＭＩ規格で定義されているＳＰＤＩ中のＳＤＩが独自のフラグとして定義し、ＨＤＭＩに伝送されているベースバンドビデオ信号にＳＢＭ処理が施されているか否かの情報を伝送する。
【０１０１】
次に、ＳＢＭ処理されたベースバンドビデオ信号はＨＤＭＩ転送部２１７に送られる。ＨＤＭＩ転送部２１７では、入力されたベースバンド信号がＴＭＤＳ信号に変換して、制御信号とともにＨＤＭＩコネクタ２２０に出力する。
また、ビデオ・グラフィック・プロセッサ２１５の出力は、ＤＡＣ２１８に入力され、Ｄ／Ａ変換したアナログコンポーネント信号がコンポーネント端子２２１に出力される。また、Ｄ／Ａ変換したアナログコンポジットビデオ信号（あるいは、Ｙ／Ｃセパレートビデオ信号）もコンポジットビデオ端子（あるいは、Ｓ端子）２２２に出力される。
【０１０２】
また、ｉ．ＬＩＮＫ入力端子２０５から入力されたストリームはＨＤＶプロセッサ２１１を経てストリームプロセッサ２１２に入力され、デジタルチューナ２０６からのストリームもストリームプロセッサ２１２に入力される。
ストリームプロセッサ２１２は、所望のビデオストリームの抜き出しやパーズを行った後、ＭＰＥＧデコーダ２１３、２１４に送る。ＭＰＥＧデコーダ２１３、２１４でデコードされたベースバンドビデオ信号は、ビデオ・グラフィック・プロセッサ２１５に入力される。
ビデオ・グラフィック・プロセッサ２１５では、所望の画枠サイズへの変換処理や種々のビデオ信号処理を施し、この信号にグラフィックス信号などを合成した後、ＳＢＭ処理部２１６に送られる。
ＳＢＭ処理部２１６では、上記したと同様のＳＢＭ処理が行われる。
【０１０３】
次に、ＳＢＭ処理されたベースバンドビデオ信号はＨＤＭＩ転送部２１７に送られる。ＨＤＭＩ転送部２１７では、入力されたベースバンド信号をＴＭＤＳ信号に変換して、制御信号とともにＨＤＭＩコネクタ２２０に出力する。
また、ビデオ・グラフィック・プロセッサ２１５の出力は、ＤＡＣ２１８に入力され、Ｄ／Ａ変換したアナログコンポーネント信号がコンポーネント端子２２１に出力される。また、Ｄ／Ａ変換したアナログコンポジットビデオ信号（あるいは、Ｙ／Ｃセパレートビデオ信号）もコンポジットビデオ端子（あるいは、Ｓ端子）２２２に出力される。
【０１０４】
［再生系の動作］
ＢＤ、ＤＶＤなどのディスクドライブ装置２０３やハードディスクドライブ装置２０４で再生されたストリームは、ストリームプロセッサ２１２に入力される。
ストリームプロセッサ２１２は、所望のビデオストリームの抜き出しやパーズを行った後、ＭＰＥＧデコーダ２１３、２１４に送る。
ＭＰＥＧデコーダ２１３、２１４でデコードされたベースバンドビデオ信号は、ビデオ・グラフィック・プロセッサ２１５に入力される。
ビデオ・グラフィック・プロセッサ２１５では、所望の画枠サイズへの変換処理や種々のビデオ信号処理を施し、この信号にグラフィックス信号などを合成した後、ＳＢＭ処理部２１６に送られる。
ＳＢＭ処理部２１６では、上記したと同様のＳＢＭ処理が行われる。
【０１０５】
次に、ＳＢＭ処理されたベースバンドビデオ信号はＨＤＭＩ転送部２１７に送られる。ＨＤＭＩ転送部２１７では、入力されたベースバンド信号をＴＭＤＳ信号に変換して、制御信号とともにＨＤＭＩコネクタ２２０に出力する。
また、ビデオ・グラフィック・プロセッサ２１５の出力は、ＤＡＣ２１８に入力され、Ｄ／Ａ変換したアナログコンポーネント信号がコンポーネント端子２２１に出力される。また、Ｄ／Ａ変換したアナログコンポジットビデオ信号（あるいは、Ｙ／Ｃセパレートビデオ信号）もコンポジットビデオ端子（あるいは、Ｓ端子）２２２に出力される。
【０１０６】
なお、出力の際、ＨＤＭＩのＥＤＩＤから取得した接続機器情報に従い、８/１０/１２ビットの出力を選択する。
【０１０７】
このＳＢＭ処理を施したベースバンドビデオ信号を出力ビットの選択は次のように行われる。
前述の再生系の説明の通り、ＭＰＥＧデコーダ２１３、２１４でデコードされた後、ビデオ・グラフィック・プロセッサ２１５、ＳＢＭ処理部２１６を経てＨＤＭＩ転送部２１７に送られる。
また、ホストＣＰＵ２１９は、ＨＤＭＩコネクタ２２０に接続されたＨＤＭＩケーブル４０のＤＤＣライン４２により受像機３００と通信を行う。
これに伴い、受像機３００に内蔵するＨＤＭＩ受信部３０２、ホストＣＰＵ３０３を介して、ＥＤＩＤ ＲＯＭ３０４に書かれているディスプレイ情報を取得する。
この情報を取得した記録再生装置２００のホストＣＰＵ２１９は、ＨＤＭＩケーブル４０によって接続された受像機３００がたとえば１２ビット入力に対応している場合は、１２ビットで出力するようにＳＢＭ処理部２１６に指示を与える。
ホストＣＰＵ２１９は、受像機３００が８ビットまでしか対応していない場合には８ビット出力をするように、ＳＢＭ処理部２１６に指示を与えて適切なビットを出力して、ＨＤＭＩコネクタ２２０から出力する。
【０１０８】
そして、判別フラグを受け取った受像機３００側の動作例について説明をする。
ＴＭＤＳ信号を受け取った、ＨＤＭＩ受信部３０２はベースバンドビデオ信号を、第１のテレビジョン映像信号処理部３０５と第２のテレビジョン信号処理部３０６に伝送する。
第１のテレビ映像信号処理部はＳＢＭ処理が施されていない場合の通常の信号処理を行い、第２のテレビジョン映像信号処理部３０６はＳＢＭ処理を施されているベースバンドビデオ専用の処理を行う。
たとえば、第２のテレビジョン映像信号処理部３０６では、入力された４：４：４信号を、４：２：２変換することなく、そのままスルーすることにより、ＳＢＭの効果を保持することが可能である。
ホストＣＰＵ３０３は、前記した判別フラグに従い、切替部３０７を切り替えて、適切なベースバンドビデオ信号を表示デバイス３０８に供給する。
【０１０９】
以上説明したように、本実施形態の記録再生装置２００は、ＳＢＭ処理を施したベースバンドビデオ信号を出力する際に、ベースバンドビデオ信号と一緒に、判別フラグを伝送ることにより、シンク機器はその情報を元に、最適な信号処理を施すことができる。その結果ユーザは常に最適な画質で映像を楽しむことが可能となる。
【０１１０】
なお、以上詳細に説明した方法は、上記手順に応じたプログラムとして形成し、ＣＰＵ等のコンピュータで実行するように構成することも可能である。
また、このようなプログラムは、半導体メモリ、磁気ディスク、光ディスク、フロッピー（登録商標）ディスク等の記録媒体、この記録媒体をセットしたコンピュータによりアクセスし上記プログラムを実行するように構成可能である。
【図面の簡単な説明】
【０１１１】
【図１】本発明の第１の実施形態に係る通信システムの構成例を示す図である。
【図２】本発明の実施形態に係る通信システムの具体的な接続例を示す図である。
【図３】本発明の第２の実施形態に係る１次元ＳＢＭ処理機能を有するソース機器としての光ディスク記録再生装置の構成例を示すブロック図である。
【図４】ＳＢＭ処理部の構成例を示すブロック図である。
【図５】本実施形態に係るＳＢＭ処理部の要部である階調変換部の構成例を示すブロック図である。
【図６】図５のディザ加算部の構成例を示す図である。
【図７】階調変換処理の対象となる画素の順番を示す図である。
【図８】ＨＤＭＩとしてテレビジョン受像機の構成例を示す図である。
【符号の説明】
【０１１２】
１０・・・通信システム、２０・・・ＨＤＭＩソース、３０・・・ＨＤＭＩシンク、４０・・・ＨＤＭＩケーブル、２００・・・記録再生装置、２０１・・・ライン入力端子、２０２・・・アナログチューナ、２０３・・・ディスクドライブ装置、２０４・・・ハードディスクドライバ装置、２０５・・・ｉ．ＬＩＮＫ入力端子、２０６・・・デジタルチューナ、２０７・・・セレクタ、２０８・・・ビデオデコーダ、２０９・・・セレクタ、２１０・・・ＭＰＥＧエンコーダ、２１１・・・ＨＤＶプロセッサ、２１２・・・ストリームプロセッサ、２１３，２１４・・・ＭＰＥＧデコーダ、２１５・・・ビデオ・グラフィック・プロセッサ、２１６・・・ＳＢＭ処理部、２１７・・・ＨＤＭＩ転送部（Ｔｘ）、２１８・・・デジタルアナログコンバータ（ＤＡＣ）、２１９・・・ホストＣＰＵ、２２０・・・ＨＤＭＩコネクタ、２２１・・・コンポーネント端子、２２２・・・コンポジット端子(Ｓ端子)、３００・・・テレビジョン受像機、３０１・・・ＨＤＭＩコネクタ、３０２・・・ＨＤＭＩ受信部（Ｒｘ）、３０３・・・ホストＣＰＵ、３０４・・・ＤＥＩＤ ＲＯＭ、３０５・・・第１のテレビジョン信号処理部、３０６・・・第２のテレビジョン信号処理部、３０７・・・切替部、３０８・・・表示デバイス。
【図１】
2010114557.tif 000003
【図２】
2010114557.tif 000004
【図３】
2010114557.tif 000005
【図４】
2010114557.tif 000006
【図５】
2010114557.tif 000007
【図６】
2010114557.tif 000008
【図７】
2010114557.tif 000009
【図８】
2010114557.tif 000010
【手続補正書】
【提出日】平成22年2月19日(2010.2.19)
【手続補正１】
【補正対象書類名】明細書
【補正対象項目名】００２３
【補正方法】変更
【補正の内容】
【００２３】
ＣＥＣライン４３は、ＨＤＭＩケーブル４０に含まれる図示しない１本の信号線によいＲにより形成され、ＨＤＭＩソース２０とＨＤＭＩシンク３０との間で、制御用のデータの双方向通信を行うのに用いられる。
【手続補正２】
【補正対象書類名】明細書
【補正対象項目名】００６９
【補正方法】変更
【補正の内容】
【００６９】
一つ目は、ＨＤＭＩ規格で定義されているＳＰＤＩ(Ｓｏｕｒｃｅ  Ｐｒｏｄｕｃｔ  Ｄｅｓｃｒｉｐｔｉｏｎ  Ｉｎｆｏｆｒａｍｅ)の中のＳＤＩ（Ｓｏｕｒｃｅ  Ｄｅｖｉｃｅ  Ｉｎｆｏｒｍａｔｉｏｎ）を独自に定義する。
これにより、ＨＤＭＩに伝送されているベースバンドビデオ信号にＳＢＭ処理が施されているか否かを伝送する。
たとえば、ＳＤＩの中には、ベンダーコードやカテゴリーコードを送ることができるが、カテゴリーコードを独自に定義することにより、判別フラグとして使用することが可能である。
【手続補正３】
【補正対象書類名】明細書
【補正対象項目名】００７５
【補正方法】変更
【補正の内容】
【００７５】
ディザ加算部４１０は、対象画像を形成する画素値ＩＮ（ｘ，ｙ）にランダムノイズを加算することにより、対象画像にディザを施し、１次元ΔΣ変調部４２０に出力する。
【手続補正４】
【補正対象書類名】明細書
【補正対象項目名】００８５
【補正方法】変更
【補正の内容】
【００８５】
以上、ＨＤＭＩソース２０として記録再生装置２００の構成および機能について説明した。
次に、ＨＤＭＩシンク３０としてテレビジョン受像機３００の構成および機能について説明する。
【手続補正５】
【補正対象書類名】明細書
【補正対象項目名】００８７
【補正方法】変更
【補正の内容】
【００８７】
ＨＤＭＩシンク３０としてテレビジョン受像機３００は、図８に示すように、ＨＤＭＩソース２０として記録再生装置２００とＨＤＭＩケーブル４０により接続される。
【手続補正６】
【補正対象書類名】明細書
【補正対象項目名】００９２
【補正方法】変更
【補正の内容】
【００９２】
第１のテレビジョン信号処理部３０５は、ＨＤＭＩ受信部３０２で受信したＳＢＭ処理が施されていないベースバンドビデオ信号に対して通常の信号処理を施し、切替部３０７に出力する。
第２のテレビジョン信号処理部３０６は、ＨＤＭＩ受信部３０２で受信したＳＢＭ処理が施されているベースバンドビデオ信号に対してスルー処理等を施し、切替部３０７に出力する。
たとえば、第２のテレビジョン映像信号処理部３０６では、入力された４：４：４信号を、４：２：２変換することなく、そのままスルーすることにより、ＳＢＭの効果を保持することが可能である。